(57)【要約】      （修正有）【課題】コンパクトな構成で、シート載置トレイ上に排出されるシートの端部が干渉することなくシートを積載させることができるシート処理装置を提供する。【解決手段】シート処理装置Ｂは、傾斜した上向きの載置面３８ｄを有するシート積載トレイ３８ａを有し、その上方に位置する排出口４２から排出された第１のサイズのシートと排出方向の長さが第１のサイズのシートよりも長い第２のサイズのシートとを載置面３８ｄ上に積載し、処理を施す。シート処理装置Ｂは、載置面３８ｄ上に載置されたシートの下端位置を整合させる下端規制部材４７と、第１のサイズのシートの上端に当接する押え位置と第１のサイズのシートの上端から離れる退避位置との間で載置面３８ｄに沿って昇降する第１の上端押え部材４８とをさらに備え、第１の上端押え部材４８が、下方へ向かうにつれて載置面３８ｄから離れるように延びる傾斜面４８ｃを排出口側に有する。【選択図】図４
2018111591.tif 000002
【特許請求の範囲】
【請求項１】
傾斜した上向きの載置面を有するシート積載トレイを有し、該シート積載トレイの上方に位置する排出口から排出された第１のサイズのシートと排出方向の長さが第１のサイズのシートよりも長い第２のサイズのシートとを載置面上に積載し、積載したシートに処理を施すシート処理装置であって、
前記載置面上に載置されたシートの下端に当接して下端位置を整合させる下端規制部材と、
前記第１のサイズのシートの上端に当接する押え位置と前記第１のサイズのシートの上端から離れる退避位置との間で載置面に沿って昇降する第１の上端押え部材と、
前記載置面上に積載されたシートに処理を施す処理部と、
を備え、前記第１の上端押え部材が、下方へ向かうにつれて前記載置面から離れるように延びる傾斜面を前記排出口側に有することを特徴とするシート処理装置。
【請求項２】
前記シート処理装置は、前記シート処理装置の動作を制御する制御部をさらに備え、前記制御部は、第１のサイズのシートに続いて、後続の第１のサイズのシート又は初めて前記第２のサイズのシートが前記排出口から前記シート積載トレイへ排出されるときに、前記第１の上端押え部材を押え位置へ移動させるように制御する、請求項１に記載のシート処理装置。
【請求項３】
前記処理部は、前記載置面と面する側に配置され且つ互いと対向する一対の折りローラと、前記シート積載トレイを挟んで前記一対の折りローラと対向して配置される突板とを含み、前記突板が、前記一対の折りローラの間に少なくとも前記載置面上の第２のサイズのシートを押し込む作動位置と第１のサイズのシート及び第２のサイズのシートから離れる待機位置との間で移動される、請求項２に記載のシート処理装置。
【請求項４】
前記突板の下側面が前記一対の折りローラ側へテーパ状に先細りとなるガイド面となっている、請求項３に記載のシート処理装置。
【請求項５】
前記下端規制部材が載置面に沿って昇降可能となっており、前記制御部は、前記突板を前記作動位置へ移動させた後に、前記第１のサイズのシートの上端を前記ガイド面に当接させるように前記下端規制部材を上昇させる、請求項４に記載のシート処理装置。
【請求項６】
前記第１の上端押え部材が、前記押え位置に移動したときに前記第１のサイズのシートの上端を覆うように延びるカバー部を含んでいる、請求項１から請求項５の何れか一項に記載のシート処理装置。
【請求項７】
前記シート処理装置は、前記第２のサイズのシートの上端に当接する押え位置と前記第２のサイズのシートの上端から離れる退避位置との間で載置面に沿って昇降する第２の上端押え部材をさらに備える、請求項１から請求項６の何れか一項に記載のシート処理装置。
【請求項８】
前記第２の上端押え部材が、下方へ向かうにつれて前記載置面から離れるように延びる傾斜面を前記排出口側に有する、請求項７に記載のシート処理装置。
【請求項９】
シート上に画像を形成し、画像形成されたシートを排出する画像形成装置と、
前記画像形成装置から排出される異なるサイズのシートを集積して処理を施す請求項１から請求項８の何れか一項に記載のシート処理装置と、
を備える画像形成システム。
【発明の詳細な説明】
【技術分野】
【０００１】
本発明は、例えば画像形成装置から排出されて積載された異なるサイズのシートに処理を施すシート処理装置に関する。
【背景技術】
【０００２】
従来、複写機、プリンター、ファクシミリ及びこれらの複合機器等の画像形成装置から排出されるシートの後処理として、シートに中折り処理を施して冊子を作成するシート処理装置が提供されており、冊子を作成する際に、中綴じ処理や中折り処理を施して冊子状にしたシートよりも小さいサイズのシートを冊子状にしたシートに挿入することができる後処理装置も知られている。
【０００３】
例えば、特許文献１は、互いに逆方向に回転する折りローラ対及び直進する折り板とによって用紙を挟持して折り目を付けた後に再度広げた状態で搬送して、別の経路から搬送された折り目を付けられていない挿入紙をさらに折り目を付けた冊子状の用紙の見開き部に挟んだ後に仕上げの折り処理を施すようにした後処理装置を開示している。また、特許文献２は、上向きの傾斜した用紙トレイに排紙部から上方へ向けて印刷紙や挿入紙といった用紙を排出した後に降下させて集積して中綴じ処理や中折り処理を施す後処理装置を開示している。特許文献２に開示の後処理装置では、挿入紙を挿入した状態で冊子を仕上げることを考慮して、冊子のベースとなる印刷紙と共に挿入紙を用紙トレイに排出しようとした場合に、挿入紙の次に排出される印刷紙の下端位置が直近に排出された挿入紙の上端位置よりも上方となると、印刷紙の下端が挿入紙の上端と干渉して紙詰まり等を起こす問題に対処するために、挿入紙を排出した次に印刷紙を排出する際に印刷紙の下端を用紙トレイの最上層に積載された挿入紙の紙面上に落下させるように用紙トレイに積載された用紙を移動させている。
【先行技術文献】
【特許文献】
【０００４】
【特許文献１】特開２０１２−１５２９５２号公報
【特許文献２】特開２０１１−１１１２５４号公報
【発明の概要】
【発明が解決しようとする課題】
【０００５】
特許文献１に記載のような後処理装置では、シートに一度折り目を付けた後に開いて、別経路で搬送されてきた挿入紙を挿入した後に、仕上げの中折り処理を施すため、折り目を付けた用紙を広げる機構、仕上げ折り機構、折り目を付けた用紙を搬送する経路、未折りの挿入紙を搬送する経路が必要になり、装置が大型化してしまうという問題点がある。また、特許文献２に記載のような後処理装置では、印刷紙と挿入紙の搬送経路は共通しており、折り目を付けた用紙を広げる機構なども必要ないが、排紙部から用紙を上方へ排出した後に用紙トレイ上を下降させる構成となっているため、排紙部より上方に少なくとも最大サイズの用紙の長さ分のスペースを確保したり、用紙トレイ上の用紙を移動させる際にシートの上端を逃がすためのスペースを確保する必要があるため、特に印刷紙と挿入紙とのサイズが大きく異なる場合に、装置が大型化してしまうという問題を依然として生じ得る。
【０００６】
よって、本発明の目的は、コンパクトな構成で、シート載置トレイ上に排出されるシートの端部が干渉することなくシートを積載させることができるシート処理装置を提供することにある。
【課題を解決するための手段】
【０００７】
上記目的に鑑み、本発明は、第１の態様として、傾斜した上向きの載置面を有するシート積載トレイを有し、該シート積載トレイの上方に位置する排出口から排出された第１のサイズのシートと排出方向の長さが第１のサイズのシートよりも長い第２のサイズのシートとを載置面上に積載し、積載したシートに処理を施すシート処理装置であって、前記載置面上に載置されたシートの下端に当接して下端位置を整合させる下端規制部材と、前記第１のサイズのシートの上端に当接する押え位置と前記第１のサイズのシートの上端から離れる退避位置との間で載置面に沿って昇降する第１の上端押え部材と、前記載置面上に積載されたシートに処理を施す処理部とを備え、前記第１の上端押え部材が、下方へ向かうにつれて前記載置面から離れるように延びる傾斜面を前記排出口側に有するシート処理装置を提供する。
【０００８】
上記シート処理装置では、排出口から排出されるシートは載置面に沿って下降して下端規制部材に当接するので、サイズにかかわらず載置面上の上下方向の位置を整合させた状態で、処理部による処理を施すことができる。また、載置面上に載置された第１のサイズのシートの下端が下端規制部材に当接した状態で、第１の上端押え部材が押え位置に移動して載置面上に載置された第１のサイズのシートの上端に当接させることにより、第１のサイズのシートが下端規制部材に押し付けられるので、載置面上に積載された第１のサイズのシートの搬送方向（載置面に沿った上下方向）の位置をより確実に整合させることができる。さらに、第１の上端押え部材は、排出口側に下方へ向かうにつれて載置面から離れるように延びる傾斜面を有するので、第１の上端押え部材が第１のサイズのシートの上端に当接した状態となっていれば、シート積載トレイ上に積載された第１のサイズのシートの上端よりも上方から後続のシートが排出されても、排出されたシートは、載置面に沿って降下しながら第１の上端押え部材の傾斜面に沿って案内されてシート積載トレイに積載された第１のサイズのシートの上端を乗り越えることができ、排出されたシートの下端（排出方向先頭側の端部）が積載されている第１のサイズのシートの上端と干渉することを防止することができる。
【０００９】
上記シート処理装置は、前記シート処理装置の動作を制御する制御部をさらに備え、前記制御部は、第１のサイズのシートに続いて、後続の第１のサイズのシート又は初めて前記第２のサイズのシートが前記排出口から前記シート積載トレイへ排出されるときに前記第１の上端押え部材を押え位置へ移動させるように制御することが好ましい。
【００１０】
一つの実施形態として、前記処理部は、前記載置面と面する側に配置され且つ互いと対向する一対の折りローラと、前記シート積載トレイを挟んで前記一対の折りローラと対向して配置される突板とを含み、前記突板が、前記一対の折りローラの間に少なくとも前記載置面上の第２のサイズのシートを押し込む作動位置と第１のサイズのシート及び第２のサイズのシートから離れる待機位置との間で移動されるようにすることができる。このような構成により、処理部は積載されたシートに中折り処理を施すことが可能となる。この場合、前記突板の下側面が前記一対の折りローラ側へテーパ状に先細りとなるガイド面となっていることが好ましく、前記下端規制部材が載置面に沿って昇降可能となっており、前記制御部は、前記突板を前記作動位置へ移動させた後に、前記第１のサイズのシートの上端を前記ガイド面に当接させるように前記下端規制部材を上昇させるようになっていることがさらに好ましい。このように、突板により第２のサイズのシートを一対の折りローラの間に押し込んだ後に、下端規制部材を上昇させて第１のサイズのシートをガイド面に押し付ければ、第１のサイズのシートの上端が一対の折りローラの間に案内される。
【００１１】
前記第１の上端押え部材が、前記押え位置に移動したときに前記第１のサイズのシートの上端を覆うように延びるカバー部を含んでいるようにしてもよい。
【００１２】
また、前記シート処理装置は、前記第２のサイズのシートの上端に当接する押え位置と前記第２のサイズのシートの上端から離れる退避位置との間で載置面に沿って昇降する第２の上端押え部材をさらに備えることが好ましい。この場合、前記第２の上端押え部材が、下方へ向かうにつれて前記載置面から離れるように延びる傾斜面を前記排出口側に有することがさらに好ましい。
【００１３】
さらに、本発明は、第２の態様として、シート上に画像を形成し、画像形成されたシートを排出する画像形成装置と、前記画像形成装置から排出されるシートを集積して処理を施す上述のシート処理装置とを備える画像形成システムを提供する。
【発明の効果】
【００１４】
本発明によれば、排出口がシート載置トレイ上に積載されるシートの上端よりも上方に設けられていても、傾斜面を有した第１の上端規制部材により、排出されたシートが第１のサイズのシートの上端を乗り越えるようにさせることができる。したがって、シート積載トレイ上に積載されるシートのサイズに応じてシートの上端が排出口の位置よりも上方に位置するようにシート積載トレイの載置面上におけるシートの位置を移動させる必要なしに、排出されたシートの下端（排出方向先頭側の端部）がシート積載トレイに積載された第１のサイズのシートの上端と干渉することを防止することができる。また、排紙口からシート積載トレイへ向けて下方にシートを排出するので、排出口よりも上方に最大サイズのシートの移動を許容するための付加的なスペースを排出口よりも上方に確保する必要がない。よって、排出口から排出されるシートの下端とシート積載トレイ上に積載されるシートの上端との干渉を防ぎつつ、装置の大型化を抑制することができ、シート処理装置をコンパクト化することができる。
【図面の簡単な説明】
【００１５】
【図１】本発明に係る画像形成システムの全体構成の説明図である。
【図２】図１に示されている画像形成システムにおけるシート処理装置の全体構成の説明図である。
【図３】図２に示されているシート処理装置の一部を拡大して示す説明図である。
【図４】図２に示されているシート処理装置に組み込まれたシート折り装置を詳細に示す説明図である。
【図５】図４のシート折り装置の中折りユニットの要部拡大図であり、突板が待機位置に配置されている状態を示している。
【図６】図４のシート折り装置の中折りユニットの要部拡大図であり、突板がシートを一対の折りローラの間に押し込む作動位置に移動されている状態を示している。
【図７】図４のシート折り装置の第１の上端押え部材を拡大して示す拡大図である。
【図８】図４のシート折り装置の第２の上端押え部材を拡大して示す拡大図である。
【図９】図１に示されている画像形成システムの制御装置の構成を示す説明図である。
【図１０】図４のシート折り装置における処理過程を示す概略説明図であり、（ａ）から（ｅ）はシート積載トレイに搬入されたスモールサイズシートを予め定められた位置及び姿勢に整合して集積する過程を示している。
【図１１】図４のシート折り装置における処理過程を示す概略説明図であり、（ｆ）から（ｉ）はシート積載トレイ上に集積されたスモールサイズシート上にさらにラージサイズシートを予め定められた位置及び姿勢に整合して積載する過程を示している。
【図１２】図４のシート折り装置における処理過程を示す概略説明図であり、（ｊ）から（ｍ）はシート積載トレイ上に積載されたシートに中折り処理を施す過程を示している。
【図１３】図４のシート折り装置におけるスモールサイズシートの集積処理の手順を示すフローチャートである。
【図１４】図４のシート折り装置におけるラージサイズシートの集積処理の手順を示すフローチャートである。
【図１５】図４のシート折り装置における中折り処理の手順を示すフローチャートである。
【発明を実施するための形態】
【００１６】
以下、添付図面を参照して、本発明によるシート処理装置及びこれを備える画像形成システムの実施の形態を説明する。なお、添付図面では、同一又は類似の構成要素には、同様の参照符号を付して表すこととする。
【００１７】
図１は、本発明によるシート束処理装置を備えた画像形成システムを示している。図１に示されている画像形成システムは、画像形成装置Ａと、シート処理装置Ｂとを含んで構成され、シート処理装置Ｂにはユニットとしてシート折り装置Ｃが組み込まれており、画像形成装置Ａによって画像形成されたシートを、シート処理装置Ｂで部揃え集積し、集積されたシート束に針綴じ、中折りなどの後処理を施して、下流側の第１のスタックトレイ２１又は第２のスタックトレイ２２に収納する。以下、画像形成装置Ａ、シート処理装置Ｂについて詳細に説明する。
【００１８】
［画像形成装置］
画像形成装置Ａは、図１に示されているように、ハウジング１内に、給紙部２と画像形成部３とを備えており、給紙部２からシートを画像形成部３へ送り、画像形成部３でシート上に画像を形成した後、本体排紙口４からシートを搬出する。
【００１９】
給紙部２は、図示されている実施形態では、複数のカセット２ａ，２ｂを含んでおり、各カセット２ａ，２ｂには、予め選定された異なる規格サイズのシートを収納可能になっている。また、手差しトレ２ｘが設けられており、使用者が使用目的に応じたシートを挿入できるように構成されている。このような構成の給紙部２から、後述するコントロールパネル１５を用いて指定されたサイズ、紙質（コーティング紙、普通紙など）、厚さのシートが画像形成部３に給送される。
【００２０】
画像形成部３は、給紙部２から送られたシートに画像を形成するように構成されていればよく、種々の画像形成機構が採用可能である。図示されている実施形態では、画像形成部３として、静電式画像形成機構が示されている。しかしながら、画像形成部３は、図示される静電式画像形成機構に限定されるものではなく、インクジェット式画像形成機構、オフセット式画像形成機構などを採用することも可能である。
【００２１】
図１に示されているように、画像形成部３には、発光器（レーザヘッドなど）５と、感光ドラム６と、現像器７と、転写チャージャ８と、定着器９とが設けられており、感光ドラム６の表面に発光器５で潜像（静止画像）を形成し、現像器７でトナーインクを付着するようになっている。感光ドラム６上に付着されたたインク画像（トナーインク）は、給紙部２から送られたシートに転写チャージャ８で画像転写され、画像転写されたシートは、定着器９で定着された後に、排紙経路１０へ送られる。
【００２２】
画像形成部３には、循環経路１１と本体スイッチバック経路１２がさらに設けられている。循環経路１１及び本体スイッチバック経路１２は、両面印刷を行うための経路であり、定着器９から排出された表面側に画像を定着させたシートを、本体スイッチバック経路１２を介して裏表反転させた後、循環経路１１により再び画像形成部３に搬送して、シートの裏面側に印刷することにより、両面印刷が行われる。このように両面印刷されたシートは、本体スイッチバック経路１２で再び裏表反転された後に本体排紙口４から排出される。
【００２３】
このように構成された画像形成装置Ａの上部には、原稿画像を読み取る画像読取ユニット１３が設けられており、画像読取ユニット１３のさらに上部に、原稿給送ユニット１４が搭載されている。画像読取ユニット１３は、透明ガラスで形成されたプラテン１３ａと、読取キャリッジ１３ｂと、光電変換素子１３ｃとを備え、プラテン１３ａ上に載置された原稿シートの画像を読取キャリッジ１３ｂで走査して読み取り、光電変換素子１３ｃにより電気信号に変換される。また、原稿給送ユニット１４は、給紙トレイ１４ａを含み、給紙トレイ１４ａ上に載置された原稿シートを一枚ずつ分離して画像読取ユニット１３のプラテン１３ａに自動的に給送するように構成されている。
【００２４】
画像形成装置Ａには、コントロールパネル１５と、画像データ記憶部１６と、バッファメモリ１７とがさらに設けられており、コントロールパネル１５を用いて、例えばシートサイズ、カラー印刷・モノクロ印刷、プリント部数、片面印刷・両面印刷、拡大・縮小印刷などの画像形成条件を後述する本体制御部６１に設定できるようになっている。また、画像データ記憶部１６には、画像読取ユニット１３によって読み取られて光電変換素子１３ｃによって変換された電気信号が画像データとして記憶される。画像データ記憶部１６には、例えばネットワークを通じて転送された画像データを記憶することもできる。画像データ記憶部１６に記憶された画像データは、バッファメモリ１７に転送され、バッファメモリ１７から順次に発光器５に移送される。
【００２５】
なお、コントロールパネル１５からは、画像形成条件に加えて、シート処理条件も入力指定することができる。シート処理条件としては、例えば「プリントアウトモード」「綴じ仕上げモード」「シート束折り仕上げモード」等が設定される。これらのシート処理条件については後述する。
【００２６】
［シート処理装置］
画像形成装置Ａに連結されたシート処理装置Ｂは、図２に全体構成を、図３及び図４に内部構造を示すように、装置ハウジング２０と、第１の排紙トレイ２１と、第２の排紙トレイ２２とを備え、画像形成装置Ａの本体排紙口４から排出された画像形成済みのシートを受け取り、（１）本体排紙口４から排出されたシートを、シート処理を施すことなく第１の排紙トレイ２１に収納する（「プリントアウトモード」）か、（２）本体排紙口４から排出されたシートを束状に部揃えして綴じ処理を施した後、第１の排紙トレイ２１に収納する（「綴じ仕上げモード」）か、又は（３）本体排紙口４から排出されたシートを束状に部揃えした後、冊子状に折り畳んで第２の排紙トレイ２２に収納する（「シート束折り仕上げモード」）ように構成されている。
【００２７】
シート処理装置Ｂの装置ハウジング２０の内部には、搬入口２３と排紙口２４との間に略水平方向に略直線状に延びるシート搬入経路Ｐ１が設けられている。シート搬入経路Ｐ１の搬入口２３は、図１に示されているように、画像形成装置Ａの本体排紙口４に連なるように配置され、本体排紙口４から排出されたシートをシート搬入経路Ｐ１を介してシート処理装置Ｂ内に搬入できるようになっている。さらに、装置ハウジング２０の内部には、シート搬入経路Ｐ１から分岐しシートを反転方向に移送する第１のスイッチバック搬送路ＳＰ１及び第２のスイッチバック搬送路ＳＰ２が設けられており、第１のスイッチバック搬送路ＳＰ１はシート搬入経路Ｐ１よりも下流側（装置後端部側）に配置され、第２のスイッチバック搬送路ＳＰ２は第１のスイッチバック搬送路ＳＰ１よりも上流側に配置されている。シート搬入経路Ｐ１の排紙口２４から延びる第１のスイッチバック搬送路ＳＰ２の下流側には、排紙口２４と段差を隔てた下方に処理トレイ３０が配置され、その下流側に第１の排紙トレイ２１が連接されている。また、第２のスイッチバック搬送路ＳＰ２の下流側には、折り装置Ｃが配置され、その下流側に第２の排紙トレイ２２が連接されている。
【００２８】
［シート搬入経路］
シート搬入経路Ｐ１には、搬入口２３から受け取ったシートを排紙口２４へ向けて搬送する搬入ローラ２５と、搬入経路Ｐ１の出口端に設けられ搬送されてきたシートを排紙口２４から排紙させる排紙ローラ２６とが設けられており、これらのローラは正逆転可能な駆動モータ（図示せず）によって駆動されるようになっている。また、シート搬入経路Ｐ１の搬入口２３及び排紙口２４の近傍には、それぞれ、シートの先端及び／又は後端を検出する入口センサＳ１及び出口センサＳ２が設けられている。搬入ローラ２５は、図１に示されているように、シート搬入経路Ｐ１に沿って複数の箇所に設けてもよい。
【００２９】
シート搬入経路Ｐ１には、図３に詳細に示されているように、第２のスイッチバック搬送路ＳＰ２にシートを案内する経路切換片２７と、第２のスイッチバック搬送路ＳＰ２に至るシートを一時的に滞留保持するバッファガイド２８とがさらに設けられており、ソレノイドなどの作動手段（図示せず）によって駆動されるようになっている。また、シート搬入経路Ｐ１上には、シートにスタンプ（捺印手段）、パンチ（穿孔手段）などの後処理を施す後処理ユニット２９が設けられている。図示されている実施形態では、後処理ユニット２９は、装置仕様に応じて装置ハウジング２０に着脱可能なようにシート搬入経路Ｐ１の搬入口２３の近傍に配置されている。
【００３０】
［第１のスイッチバック搬送路］
シート搬入経路Ｐ１の下流側に設けられた第１のスイッチバック搬送路ＳＰ１は次のように構成されている。シート搬入経路Ｐ１には、その出口端に、排紙ローラ２６と排紙口２４が設けられ、排紙口２４の下流側には、排紙口２４と段差を隔てた下方に処理トレイ３０が設けられている。処理トレイ３０は、排紙口２４から排出された複数のシートを積載支持するトレイによって構成されている。
【００３１】
処理トレイ３０には、図３に示されているように、処理トレイ３０上でシートを搬送するための搬送機構として、処理トレイ３０の上方に配置される正逆転ローラ３１と、処理トレイ３０上で正逆転ローラ３１と協働する従動ローラ３２と、掻き込み回転体３３とが設けられている。
【００３２】
正逆転ローラ３１と従動ローラ３２とは、処理トレイ３０の搬出方向前端部（第１のスタックトレイ２１側の端部）付近に設けられている。正逆転ローラ３１は、処理トレイ３０の上方に配置されており、処理トレイ３０上の最上のシートと接する作動位置（図３に実線で示されている位置）と処理トレイ３０上の最上のシートから離間する待機位置（図３に二点鎖線で示されている位置）との間で昇降自在となるように構成されている。また、正逆転ローラ３１と従動ローラ３２は、正逆転ローラ３１が作動位置に下降したときに、正逆転ローラ３１のローラ体と従動ローラ３２のローラ体とがシートを搬送可能に上下から挟み込むように配置されている。
【００３３】
このように構成された正逆転ローラ３１は、処理トレイ３０上にシートを進入させる際には、処理トレイ３０から離間した受け入れ位置（例えば待機位置）に移動し、排紙口２４から排出されたシートの進行方向後端が処理トレイ３０上に到達すると、作動位置に下降して処理トレイ３０上の最上のシートの上面に当接した状態で図３中の反時計回りに回転するように制御される。
【００３４】
掻き込み回転体３３は、図示されている実施形態では、二つのプーリの間に掛け渡された無端ベルトで構成され、一方のプーリが下側の排紙ローラ２６の駆動軸２６ｘと共に回転するようになっており、他方のプーリが駆動軸２６ｘと同軸のプーリの中心軸線を中心に処理トレイ３０上に垂下するように搖動自在に軸支されている。掻き込み回転体３３は、処置トレイ３０上に積載されているシート束の最上位置のシートの上に搬送されてくる新たなシートの上面に係合し、当該シートの先端を押圧しながら図中反時計回りに回転して、シートを後述する規制部材３４に当接するまで送り込む。これにより、処理トレイ３０上を規制部材３４まで搬送する間に生じ得るシートのカールやスキューを解消させることができる。掻き込み回転体３３は、ベルトに限定されるものではなく、パドル部材やローラなどによって構成してもよい。
【００３５】
処理トレイ３０の排紙方向後端部（図３中の右側の端部）には、排紙方向のシートの端部の位置を規制する規制部材３４と、綴じ装置３５が配置されている。ここで、処理トレイ３０における排紙方向とは、処理トレイ３０から第１の排紙トレイ２１へ向けてシートを排出する方向を意味する。本実施形態では、綴じ装置３５は端面綴じステープラで構成され、処理トレイ３０上に集積されたシート束の排紙方向後端（図３中の右側の端部）の１箇所又は複数箇所にステープル綴じを行う。しかしながら、綴じ装置３５はステープルを用いた綴じ処理を行うステープラや端面綴じに限定されるものではない。例えば、圧着綴じを行う綴じ装置によって綴じ装置３５を構成してもよい。また、本実施形態では、規制部材３４は、シート束を把持するグリップ爪３４ａとシート後端を当接させて規制する規制面３４ｂとを含んでおり、綴じ処理を施されたシート束を処理トレイ３０の下流側に配置された第１の排紙トレイ２１に搬出する機能を果たせるように、処理トレイ３０に沿って排紙方向に往復動可能に構成されている。なお、規制部材３４は、駆動アーム３６に連結されており、排紙モータＭによって駆動アーム３６を搖動することによって処理トレイ３０に沿って排紙方向に規制部材３４を往復動させることができるようになっている。
【００３６】
また、処理トレイ３０には、処理トレイ３０上に集積されたシートの幅方向（排紙方向と垂直な方向）を整合する一対のサイド整合板３７が設けられており、サイド整合板３７は、センター基準でシートを整合するように左右方向（図３中の前後方向）に対抗して配置され、シート中央に接近及び離間できるように構成されている。
【００３７】
このように構成された第１のスイッチバック搬送経路ＳＰ１では、排紙口２４から排出されたシートが、処理トレイ３０上を第１の排紙トレイ２１へ向かって移動し、シートの進行方向後端が排紙口２４から排出されて処理トレイ３０上に到達した後に、図３中で反時計回りに回転する正逆転ローラ３１により、第１のスタックトレイ２１へ向かう方向（すなわち排紙方向）と逆方向（以下、「搬入方向」とも記載する。）に規制部材３４へ向かってスイッチバック搬送される。このとき、掻き込み回転体３３は、正逆転ローラ３１と協働して、シートを処理トレイ３０に沿って規制部材３４に当接するまで送り込む。処理トレイ３０上に送り込まれたシートは、「綴じ仕上げモード」のときには排紙口２４からのシートを処理トレイ３０上で部揃えして、部揃えされたシート束を綴じ装置３５で後端縁の１箇所又は複数個所をステープル綴じする。なお、「プリントアウトモード」のときには、排紙口２４からのシートをスイッチバック搬送することなく、処理トレイ３０に沿って送られたシートを正逆転ローラ３１と従動ローラ３２との間に挟んで第１の排紙トレイ２１に搬出する。
【００３８】
［第２のスイッチバック搬送路及びシート折り装置］
シート搬入経路Ｐ１から分岐された第２のスイッチバック搬送路ＳＰ２は、図１に示されているように、略鉛直方向に延びており、第２のスイッチバック搬送路ＳＰ２の下流側には、第２のスイッチバック搬送路ＳＰ２から送られるシートを部揃え集積して中綴じ処理や中折り処理を施すシート折り装置Ｃが設けられている。シート折り装置Ｃは、図４に詳細に示されているように、集積ガイド３８と、集積ガイド３８に集積されたシートに中綴じ処理を施す中綴じユニット３９と、集積ガイド３８に集積されたシートに中折り処理を施す中折りユニット４０とを備える。集積ガイド３８は、上向きのくの字形の傾斜面である載置面３８ｄを有したシート積載トレイ３８ａと、スイッチバック経路３８ｂと、出口ガイド部３８ｃとを含んでいる。第２のスイッチバック搬送路ＳＰ２の出口端には、排出ローラ４１と、排出口４２とが設けられ、排出口４２の下流側には、排出口４２と段差を隔てた下方にシート積載トレイ３８ａが配置されている。また、スイッチバック経路３８ｂはシート積載トレイ３８ａの上端側に連接されている。シート積載トレイ３８ａは、最大サイズのシートを収容可能な長さ寸法を有するように形成されており、排出口４０から排出されたシートを載置面３８ｄ上に順次積載できるように構成されている。
【００３９】
このような構成の第２のスイッチバック搬送路ＳＰ２及び集積ガイド３８により、排出口４０から排出されたシートは、集積ガイド３８のシート積載トレイ３８ａの載置面３８ｄ上に順次積載される。
【００４０】
シート積載トレイ３８ａには、綴じ位置Ｘと、折り位置Ｙとが設定されており、シートに処理を施す処理部として、綴じ位置Ｘには中綴じユニット３９が配置され、折り位置Ｙには中折りユニット４０が配置されている。中綴じユニット３９は、綴じ処理を行うことができれば、任意のものを使用することができ、中綴じユニット３９として、例えばステープルを用いて綴じ処理を行うステープル綴じ装置を使用することができる。このような中綴じユニット３９は公知であるので、ここでは詳しい説明を省略する。
【００４１】
中折りユニット４０は、折りローラ４３ａと折りローラ４３ｂとからなる一対の折りローラ４３と、シート積載トレイ３８ａを挟んで一対の折りローラ４３と対向して配置される突板４４と、一対の折りローラ４３の下流側に配置された排紙ローラ対４５とを含んでいる。一対の折りローラ４３は、シート積載トレイ３８ａに積載されたシートと折りローラ４３ａ，４３ｂの表面が接することのない位置に配置されており、図示されている実施形態では、一対の折りローラ４３は、一方の折りローラ４３ａが装置ハウジング２０に搖動可能に支持され他方の折りローラ４３ｂへ向けて付勢され、一対の折りローラ４３ａ，４３ｂの間にシート束が挟み込まれたときに、シートを押圧しつつシート束の厚みに応じて互いと接近離間できるようになっている。また、突板４４は、その先端を一対の折りローラ４３の圧接部に向けて突板キャリア４６に担持されており、積載トレイ３８ａ上のシートの面に対して概略垂直な方向に移動可能となっている。突板キャリア４６は、図示されていないキャリア駆動機構によりシート積載トレイ３８ａに対して接近及び離反する向きに駆動される。これにより、突板４４は、図５に示されているように先端がシート積載トレイ３８ａから突出せず載置面３８ｄ上に積載されたシートから離れている待機位置と、図６に示されているように先端で載置面３８ｄ上に積載されたシートを一対の折りローラ４３の間に押し込む作動位置との間で移動することができる。また、突板４４において、作動位置に移動されたときに載置面３８から突出される部分の下側面には、先端へ向けて（すなわち一対の折りローラ４３へ向けて）テーパ状に先細りとなるように傾斜したガイド面４４ａが形成されている。これにより、突板６４のガイド面４４ａにスモールサイズのシートの上端が当接して押し付けられたときにスモールサイズのシートの上端が一対の折りローラ４３の間に円滑に案内されるようになる。
【００４２】
なお、折り位置Ｙには、集積ガイド３８と連なるように、出口ガイド部３８ｃが設けられており、出口ガイド部３８は、図５及び図６に示されているように、シート積載トレイ３８ａに積載されたシートの束を徐々に屈曲させるように狭窄した対向ガイド片によって構成されている。
【００４３】
［シート積載トレイ］
シート積載トレイ３８ａには、下端規制部材４７と、シート積載トレイ３８ａに沿って下端規制部材４７よりも上方に配置される第１の上端押え部材４８と、シート積載トレイ３８ａに沿って第１の上端押え部材４８よりも上方に配置される第２の上端押え部材４９と、シート積載トレイ３８ａの幅方向（図４における前後方向）の両側に配置されるサイド整合部材５０とが載置面３８ｄから突出して設けられている。
【００４４】
下端規制部材４７は、図４に詳細に示されているように、断面略コの字形状のチャネル部材によって構成されており、その内側に、シートの下端を当接させる規制面４７ａを有している。また、下端規制部材４７は、下端規制部材駆動機構５１によってシート積載トレイ３８ａ（詳細にはその載置面３８ｄ）に沿って昇降され、待機位置、ラージサイズシート受け入れ位置、スモールサイズシート受け入れ位置に移動できるようになっている。図示されている実施形態では、下端規制部材駆動機構５１は、下端規制部材４７の移動範囲の上端及び下端付近に配置された一対のプーリと、両プーリに巻き掛けられた伝動ベルトとによって構成されており、下端規制部材４７は、伝動ベルト上に固定され、駆動手段によって駆動側のプーリを回転させることによって昇降し、シート積載トレイ３８ａ上でシートを移動できるようになっている。しかしながら、下端規制部材駆動機構５１は、下端規制部材４７をシート積載トレイ３８ａに沿って昇降させることができれば限定されるものではなく、他の駆動機構を用いることも可能である。
【００４５】
このように構成された下端規制部材４７は、排出口４２から排出されてシート積載トレイ３８に沿って下降するシートの下端を規制面４７ａに当接させて停止させることによりシートの下端の位置を規制すると共に、シート積載トレイ３８ａに沿って昇降して載置面４３ｄ上でシートを移動させる機能を果たす。
【００４６】
第１の上端押え部材４８は、図７に詳細に示されているように、概略コの字形状のチャネル部材から構成されており、内側に形成されたスモールサイズシートの上端を当接させるための当接面４８ａと、スモールサイズのシートの上端を当接面４８ａに当接させたときにスモールサイズのシートの上端を覆うように延びるカバー部４８ｂと、排出口４２側に形成され且つ載置面３８ｄに沿って下方へ向かうにつれて載置面３８ｄから離れるように傾斜して延びる傾斜面４８ｃと、載置面３８ｄ上に積載されるシートの上面を押圧するようにカバー部４８ｂの先端に取り付けられているシート状の可撓性のシート押圧部材４８ｄとを有している。
【００４７】
また、第１の上端押え部材４８は、第１の上端押え部材駆動機構５２によってシート積載トレイ３８ａ（詳細にはその載置面３８ｄ）に沿って昇降され、載置面３８ｄ上に積載されるシートの上端から離反する退避位置と載置面３８ｄ上に積載されるシートの上端に当接する押え位置との間で移動できるようになっている。図示されている実施形態では、第１の上端押え部材駆動機構５２は、第１の押え部材４８の移動範囲の上端及び下端付近に配置された一対のプーリと、両プーリに巻き掛けられた伝動ベルトとによって構成されており、第１の押え部材４８は、伝動ベルト上に固定され、駆動手段によって駆動側のプーリを回転させることによって昇降し、載置面３８ｄ上に積載されるシートの上端に対して当接及び離反できるようになっている。しかしながら、第１の上端押え部材駆動機構５２は、第１の上端押え部材４８をシート積載トレイ３８ａに沿って昇降させることができれば限定されるものではなく、他の駆動機構を用いることも可能である。
【００４８】
このように構成された第１の上端押え部材４８は、第１のサイズ（以下、スモールサイズと記載する。）のシートの上端に当接してスモールサイズのシートの下端を下端規制部材４７の規制面４７ａに押し付けることにより載置面３８ｄに沿ったスモールサイズのシートの搬送方向（すなわち上下方向）の位置を整合させると共に、後続のシートの下端が載置面３８ｄ上に積載されているシートの上端に衝突することを回避させる機能を果たす。
【００４９】
第２の上端押え部材４９は、図８に詳細に示されているように、第１の上端押え部材４８と同様に、概略コの字形状のチャネル部材から構成されており、内側に形成されたラージサイズシートの上端を当接させるための当接面４９ａと、ラージサイズのシートの上端を当接面４９ａに当接させたときにラージサイズのシートの上端を覆うように延びるカバー部４９ｂと、排出口４２側に形成され且つ載置面３８ｄに沿って下方へ向かうにつれて載置面３８ｄから離れるように傾斜して延びる傾斜面４９ｃと、載置面３８ｄ上に積載されるシートの上面を押圧するようにカバー部４９ｂの先端に取り付けられているシート状の可撓性のシート押圧部材４９ｄとを有している。
【００５０】
また、第２の上端押え部材４８は、第２の上端押え部材駆動機構５３によってシート積載トレイ３８ａ（詳細にはその載置面３８ｄ）に沿って昇降され、載置面３８ｄ上に積載されるシートの上端から離反する退避位置と載置面３８ｄ上に積載されるシートの上端に当接する押え位置との間で移動できるようになっている。図示されている実施形態では、第２の上端押え部材駆動機構５３は、第２の押え部材４９の移動範囲の上端及び下端付近に配置された一対のプーリと、両プーリに巻き掛けられた伝動ベルトとによって構成されており、第２の押え部材４９は伝動ベルト上に固定され、駆動手段によって駆動側のプーリを回転させることによって、第２の上端押え部材４９を昇降し、載置面３８ｄ上に積載されるシートの上端に対して当接及び離反できるようになっている。しかしながら、第２の上端押え部材駆動機構５３は、第２の上端押え部材４９をシート積載トレイ３８ａに沿って昇降させることができれば限定されるものではなく、他の駆動機構を用いることも可能である。
【００５１】
このように構成された第２の上端押え部材４９は、第１のサイズより大きい第２のサイズ（以下、ラージサイズと記載する。）のシートの上端に当接してラージサイズのシートの下端を下端規制部材４７の規制面４７ａに押し付けることにより載置面３８ｄに沿ったラージサイズのシートの搬送方向（すなわち上下方向）の位置を整合させると共に、後続のシートの下端が載置面３８ｄ上に積載されているシートの上端に衝突することを回避させる機能を果たす。
【００５２】
サイド整合部材５０は、シート積載トレイ３８ａの幅方向に対向して配置されて、図示されていない駆動機構によりシート載置トレイ３８ａの幅方向に往復動ができるように構成されている。本実施形態では、シート積載トレイ３８ａのシート幅方向の中央位置（折りローラ対及び突板の中央位置）を中折り処理の中央基準位置に設定している。サイド整合部材５０は、初期状態において、それぞれ、シート幅方向に中央基準位置から等距離に設定された初期位置に配置されており、シート積載トレイ３８ａにシートが搬入されると、駆動機構により、初期位置から、シート積載トレイ３８ａに搬入されるシートの幅寸法に対応して所定の同じ距離だけ移動され、シートの幅方向中央位置を中央基準位置に一致するようにシートを整合させる。シートの幅方向の位置を整合させた後、サイド整合部材５０は、再び初期位置に戻される。
【００５３】
このように構成されたサイド整合部材５０は、排出口４２から排出されてシート積載トレイ３８ａに搬入されるシートの幅方向（搬入方向と垂直な方向）の両側部に当接させて幅方向の位置を整合させる機能を果たす。
【００５４】
シート積載トレイ３８ａに搬入されるシートが複数枚の場合、上述したように、最初のシートの幅方向の位置を整合させ、サイド整合部材５０を初期位置に戻した後、次のシートを搬入させる。次のシートにも、上述したサイド整合部材５０によるシートの幅方向整合動作を繰り返して実行し、最初のシート及び次のシートの側縁を揃えて重ね合わせる。このように新しくシートが搬入される毎にシートの幅方向整合動作を繰り返すことによって、シート積載トレイ３８ａ内で複数のシートを所定の幅方向位置に整合させて集積することができる。なお、シート積載トレイ３８ａに排出されて後処理を施されるシートの寸法は、シートに施す後処理に関する情報と共に、画像形成装置Ａの本体制御部６１からシート処理装置Ｂの後述する後処理制御部６２に予め送信される。
【００５５】
［制御装置］
次に、図９を参照して、上述した画像形成システムの制御装置６０の構成を説明する。
画像形成システムの制御装置６０は、画像形成装置Ａを制御する制御部（以下「本体制御部」と記載する。）６１と、シート束処理装置Ｂを制御する制御部（以下「後処理制御部」と記載する。）６２とを備えている。
【００５６】
本体制御部６１は、画像形成制御部６３と、給紙制御部６４と、入力部としてのコントロールパネル１５とを備えており、コントロールパネル１５から「画像形成モード」と「後処理モード」の設定を行うことができる。画像形成モードでは、プリントアウト部数、シートサイズ、シート紙質、カラー印刷・モノクロ印刷、両面印刷・片面印刷、拡大印刷・縮小印刷、その他の画像形成条件を設定することができる。本体制御部６１は、設定された画像形成条件に応じて画像形成制御部６３及び給紙制御部６４を制御して、所定のシートに画像形成した後、本体排紙口４からシートを順次排出させる。また、後処理モードでは、例えば、「プリントアウトモード」、「綴じ仕上げモード」、「シート束折り仕上げモード」などのシート処理条件を設定することができる。また、「シート束折り仕上げモード」を設定するときには、挿入シートの有り・無しも選択できるようになっている。本体制御部６１は、後処理制御部６２に、後処理の仕上げモードや綴じモード（１箇所綴じか２箇所以上の複数綴じか）などの後処理モード情報、シート部数、シートサイズ及び画像形成するシートの紙厚の情報などのデータを転送すると共に、画像形成の終了毎にジョブ終了信号を後処理制御部６２に転送する。
【００５７】
後処理制御部６２は、ＲＯＭ６５とＲＡＭ６６に接続された制御ＣＰＵによって構成されており、指定された後処理モードに応じて、ＲＯＭ６５に記憶された制御プログラムとＲＡＭ６６に記憶された制御データとに基づいて、シート処理装置Ｂを動作させる。このため、後処理制御部６２には、シート処理装置Ｂに搭載された各モータの起動、停止及び正逆回転の制御を行うように、シート搬入経路Ｐ１の搬入ローラ２５や排紙ローラ２６、処理トレイ３０にシートを集積するための正逆転ローラ３１、処理トレイ３０の規制部材３４、処理トレイ３０の綴じ装置３５、シート折り装置Ｃの中綴じユニット３９、第２のスイッチバック搬送路ＳＰ２の排出ローラ４１、シート折り装置Ｃの中折りユニット４０の突板キャリア４６、一対の折りローラ４３、排紙ローラ対４５、サイド整合部材５０の駆動機構、下端規制部材駆動機構５１、第１の上端押え部材駆動機構５２、第２の押え部材駆動機構５３などの各モータの駆動回路が接続されている。また、シート搬入経路Ｐ１に配置された入口センサＳ１及び出口センサＳ２からの検知信号を受信するように構成されている。各後処理モードでは、後処理制御部６２は、次のような処理動作を実行させるようにシート処理装置Ｂの制御を行う。
【００５８】
［プリントアウトモード］
プリントアウトモードでは、画像形成装置Ａは、一連の文書を例えば第１ページから第ｎページまで順番に画像形成し、本体排紙口４から順次搬出する。シート処理装置Ｂは、画像形成装置Ａから搬出されたシートの先端が搬入口２３に到達したことを入口センサＳ１によって検出すると、バッファガイド２８を図３に二点鎖線で示されている上方の位置へ退避させ且つ経路切換片２７を図３に実線で示されている下方の位置へ移動させてシートをシート搬入経路Ｐ１に送ると共に、搬入ローラ２５及び排紙ローラ２６を回転駆動させて、シート搬入経路Ｐ１に沿ってシートを排紙ローラ２６に導く。排紙口２４付近に設けられた排紙センサＳ２によってシートの後端が検出されると、シートの先端が処理トレイ３０の従動ローラ３２の位置（すなわち作動位置の正逆転ローラ３１の位置）に到達する見込み時間の経過後、正逆転ローラ３１が上方の待機位置（図３に二点鎖線で示されている状態）から処理トレイ３０上のシートと接する作動位置（図３に実線で示されている状態）に下降され、正逆転ローラ３１が図３における時計回りに回転される。これにより、処理トレイ３０上に進入したシートは、第１の排紙トレイ２１へ向けて搬出され、第１の排紙トレイ２１上に収納される。同様にして、後続するシートが第１の排紙トレイ２１へ向けて順次搬出され、第１の排紙トレイ２１上に堆積、収納される。
【００５９】
このように、プリントアウトモードでは、画像形成装置Ａによって画像形成されたシートは、シート処理装置Ｂのシート搬入経路Ｐ１を経て、第１の排紙トレイ２１に収納され、順に上方に積載収納されることとなる。プリントアウトモードでは、シートは、前述の第１のスイッチバック搬送路ＳＰ１及び第２のスイッチバック搬送路ＳＰ２には導かれない。
【００６０】
［綴じ仕上げモード］
綴じ仕上げモードでは、シート処理装置Ｂは画像形成装置Ａから搬出されたシートを束状に部揃えした後に、綴じ処理を施して仕上げる。詳細には、画像形成装置Ａが、プリントアウトモードの場合と同様に、一連の文書を第１ページから第ｎページまで順番に画像形成して、本体排紙口４から順次搬出する。シート処理装置Ｂは、画像形成装置Ａから搬出されたシートの進行方向の先端が搬入口２３に到達したことを入口センサＳ１によって検出すると、バッファガイド２８を図３に二点鎖線で示されている上方の位置へ退避させ且つ経路切換片２７を図３に実線で示されている下方の位置へ移動させてシートをシート搬入経路Ｐ１に送ると共に、搬入ローラ２５及び排紙ローラ２６を回転駆動させて、シート搬入経路Ｐ１に沿って排紙ローラ２６に導く。また、シートの進行方向先端が搬入口２３に到達したことが検出されると、処理トレイ３０へのシートの搬入を妨げないようにセンター基準位置から十分に離れたシート受け入れ位置にサイド整合板３７を移動させると共に、正逆転ローラ３１を待機位置（図３で二点鎖線で示されている状態）へ移動させる。
【００６１】
次に、排紙口２４付近に設けられた排紙センサＳ２によってシートの進行方向の後端が排紙ローラ２６を通過したことを検出すると、後処理制御部６２は、シートの進行方向の先端が処理トレイ３０の従動ローラ３２の位置（すなわち作動位置の正逆転ローラ３１の位置）に到達する見込み時間の経過後、正逆転ローラ３１を上方の待機位置から処理トレイ３０上のシートと接する作動位置（図３に実線で示されている状態）へ下降させ、図３中の時計回りに正逆転ローラ３１を回転させ、さらにシートの進行方向後端が処理トレイ３０上に搬入される見込み時間の経過後、図３中の反時計回りに正逆転ローラ３１を所定量回転させて処理トレイ３０上で規制部材３４へ向けてシートを送り込む。このとき、掻き込み回転耐３３も図３中の反時計回りに回転させられ、シートの進行方向前端が規制部材３４に当接するまで、シートが搬送される。このようにして排紙口２４から排出されたシートは、第１のスイッチバック搬送路ＳＰ１に沿って処理トレイ３０上にスイッチバック搬送される。
【００６２】
処理トレイ３０へのシートの搬入がシートの規制部材３４への当接によって停止すると、後処理制御部６２は、正逆転ローラ３１を待機位置へ上昇させて停止させ、受け入れ位置から、シートを幅方向の両側から挟み込むように、センター基準へ向けてサイド整合板３７を移動させる。サイド整合板３７は、それぞれの規制面をシート幅方向の両側の側辺（すなわち幅方向に面する二つの側辺）に当接させ、両規制面の離隔距離がシートの幅寸法と一致する位置まで移動させられる。これにより、各シートは、その幅方向の中心が処理トレイ３０のセンター基準に一致するように整合される。一つのシート束として綴じられる所定枚数のシートが処理トレイ３０上に整合されて集積されるまで、同様の動作が繰り返される。
【００６３】
所定枚数のシートが処理トレイ３０上に整合されて集積されると、後処理制御部６２は、サイド整合板３７と規制部材３４を駆動して、シートを集積させたシート束を綴じ処理位置へ移動させる。シート束が綴じ処理位置に位置決めされると、後処理制御部６２は、コマンド信号を発信して、綴じ装置３５を駆動させ、綴じ処理を実行させる。綴じ処理が完了すると、後処理制御部６２は、正逆転ローラ３１と規制部材３４を駆動して綴じ処理を施されたシート束を処理トレイ３０から第１の排紙トレイ２１へ搬出させる。
【００６４】
［シート束折り仕上げモード］
シート束折り仕上げモードでは、シート処理装置Ｂは、画像形成装置Ａから搬出されたシートを束状に部揃えした後、冊子状に仕上げる。また、他のシートよりもサイズの小さい挿入シートを挿入することもできる。詳細には、画像形成装置Ａが、プリントアウトモードの場合と同様に、一連の文書を第１ページから第ｎページまで順番に画像形成して、本体排紙口４から順次搬出する。シート処理装置Ｂは、画像形成装置Ａから搬出されたシートの先端が搬入口２３に到達したことを入口センサＳ１によって検出すると、バッファガイド２８を図３に二点鎖線で示されている上方の位置へ退避させ且つ経路切換片２７を図３に実線で示されている下方の位置へ移動させてシートをシート搬送経路Ｐ１に送ると共に、搬入ローラ２５及び排紙ローラ２６を回転駆動させて、シート搬入経路Ｐ１に沿って排紙ローラ２６に導く。次に、後処理制御部６２は、入口センサＳ１によってシートの進行方向後端を検出した時に発せられる信号を基準にして、シートの進行方向後端が経路切換片２７を通過したタイミングで、排紙ローラ２６の回転を停止させると同時に経路切換片２７を図３に実線で示されている位置から図３に二点鎖線で示されている位置へ上方に旋回させた後、排紙ローラ２６を図３における反時計回りに逆回転させる。これにより、シート搬入経路Ｐ１に進入したシートは、搬送方向を反転され、経路切換片２７によって第２のスイッチバック搬送路ＳＰ２に導かれ、シート折り装置Ｃの集積ガイド３８に案内される。
【００６５】
同様にして、後続のシートが第２のスイッチバック搬送路ＳＰ２を経て集積ガイド３８上に部揃えされる。後処理制御部５２は、ジョブ終了信号を受け取ると、シートを綴じ位置Ｘに位置決めして中綴じユニット３９を動作させ、シート束の中央の複数箇所（例えば２箇所）にステープル綴じ処理を施した後、シート中央を折り位置Ｙに位置決めして、中折りユニット４０によって中折り処理を施し、冊子状に折り曲げられたシート束を第２の排紙トレイ２２に搬出させるように制御する。
【００６６】
ここで、図１０から図１５を参照して、シート束折り仕上げモードにおいて、挿入シート有りが選択された場合のシート折り装置Ｃにおけるシートの集積動作及び中折り動作の制御について詳細に説明する。
【００６７】
画像形成システムでは、シート束折り仕上げモードで挿入シート有りが選択されると、挿入シートであるショートサイズシートが集積ガイド３８のシート積載トレイ３８ａ上に積載された後に、ラージサイズシートがシート積載トレイ３８ａ上に積載されたショートサイズシートの上に重ねて配置される。また、シート積載トレイ３８ａ上では、下端規制部材４７を、シート積載トレイ３８ａの最下部の待機位置、待機位置よりも上方のラージサイズシート受け入れ位置、ラージサイズシート受け入れ位置に位置決めでき、第１の上端押え部材４８を、ショートサイズのシートの上端に当接する押え位置、押え位置よりも上方に位置する退避位置に位置決めでき、第２の上端押え部材４９を、第１の上端押え部材４８よりも上方に位置し且つラージサイズのシートの上端に当接する押え位置、押え位置よりも上方に位置する退避位置に位置決めできるようになっている。また、サイド整合部材５０は、シート積載トレイ３８ａへのシートの搬入を妨げないように、搬入されるシートの幅よりも互いから離れたシート受け入れ位置と、規制面をラージサイズのシートの幅方向（搬送方向と垂直な方向）の側辺に当接させてラージサイズシートの中心がシート積載トレイ３８ａのセンター基準に一致するようにラージサイズシートの幅方向位置を整合させるラージサイズシート整合位置、規制面をスモールサイズのシートの幅方向（搬送方向と垂直な方向）の側辺に当接させてスモールサイズシートの中心がシート積載トレイ３８ａのセンター基準に一致するようにスモールサイズシートの幅方向位置を整合させるスモールサイズシート整合位置に位置決めされ得るようになっている。
【００６８】
ステップＳｔ１で挿入シート有りが選択されると、後処理制御部６２は、シート積載トレイ３８ａの最下部の待機位置（図１０（ａ）参照）からスモールサイズシート受け入れ位置（図１０（ｂ）参照）へ下端規制部材４７を移動させる（ステップＳｔ２）。また、本体制御部６１から後処理制御部６２に伝送されたシートサイズ情報に基づいて、第１の上端押え部材４８は、退避位置に移動され、サイド整合部材５０は、シート受け入れ位置に移動される。下端規制部材４７がスモールサイズシート受け入れ位置に移動されると、図１０（ｂ）に示されているように、第２のスイッチバック搬送路ＳＰ２を経て排出口４２から集積ガイド３８（詳細には、そのシート積載トレイ３８ａ）へ排出ローラ４１によってスモールサイズシートが排出される（ステップＳｔ３）。
【００６９】
排出されたスモールサイズシートがスモールサイズシート受け入れ位置の下端規制部材４７に到達する見込み時間だけシート積載トレイ３８ａの載置面３８ｄに沿って搬送されて、スモールサイズシートの下端が下端規制部材４７に到達すると（ステップＳｔ４）、後処理制御部６２は、図１０（ｃ）に示されているように、第１の上端押え部材４８を載置面４８ｄに沿って退避位置から押え位置へ移動させ、第１の上端押え部材４８の当接面４８ａをスモールサイズシートの上端に当接させる（ステップＳｔ５）。これにより、スモールサイズシートが下端規制部材４７に押し付けられ、載置面３８ｄ上における搬送方向（すなわち上下方向）の位置が整合される。同時に、サイド整合部材５０は、その規制面の離隔距離がスモールサイズシートの幅寸法と一致するスモールサイズシート整合位置に移動され、サイド整合部材５０の規制面をスモールサイズシートの幅方向の側辺に当接させる。これにより、スモールサイズシートは、そ幅方向の中心がシート積載トレイ３８ａのセンター基準に一致するように整合される。
【００７０】
ステップＳｔ６において、後続のスモールサイズシートがあるときには、シート搬入の妨げにならないように、サイド整合部材５０がシート受け入れ位置に移動され、第２のスイッチバック搬送路ＳＰ２を経て排出口４２からシート積載トレイ３８ａへ排出ローラ４１によって後続のスモールサイズシートが排出される（ステップＳｔ７）。このとき、第１の上端押え部材４８は押え位置に配置されており、シート積載トレイ３８ａ上に載置されたスモールサイズシートの上端に当接面４８ａを当接させ、シート積載トレイ３８ａ上に載置されたスモールサイズシートの上端をカバー部４８ｂで覆った状態を維持されている。
【００７１】
図１０（ｄ）に示されているように、ステップＳｔ８において後続のスモールサイズシートの下端（搬送方向の先端）が第１の上端押え部材４８を通過する見込み時間だけシートが搬送されると、後処理制御部６２は、図１０（ｅ）に示されているように、ステップＳｔ９で第１の上端押え部材４８を押え位置から退避位置に移動させ、ステップＳｔ１０で後続のスモールサイズシートの下端が下端規制部材４７に到達した後に、第１の上端押え部材４８を再び押え位置に移動させる（ステップＳｔ１１）。同時に、サイド整合部材５０は、その規制面の離隔距離がスモールサイズシートの幅寸法と一致するスモールサイズシート整合位置に移動され、サイド整合部材５０の規制面をスモールサイズシートの幅方向の側辺に当接させる。このようなステップＳｔ７からステップＳｔ１１のような動作が後続のスモールサイズシートがなくなるまで繰り返される。
【００７２】
後続のスモールサイズシートの下端がシート積載トレイ３８ａ上に載置されたスモールサイズシートの上端の位置に到達する際には、第１の上端押え部材４８の当接面４８ａが載置されたスモールサイズシートの上端に当接して、カバー部４８ｂがスモールサイズシートの上端を覆っているので、後続のスモールサイズシートの下端が傾斜面４８ｃに沿って移動し、シート積載トレイ３８ａ上に載置されたスモールサイズシートの上端を乗り越えて通過することができる。したがって、後続のスモールサイズシートの下端がシート積載トレイ３８ａ上に載置されたスモールサイズシートの上端に干渉することを回避させることができ、シート積載トレイ３８ａ上に載置されたスモールサイズシートの上端と後続のスモールサイズシートの下端との干渉による紙詰まりやシートの順番の入れ替わりを防ぐことができる。また、後続のスモールサイズシートの下端が下端規制部材４７に到達した後に、第１の上端押え部材４８が退避位置に移動された後に再び押え位置に移動されると共に、サイド整合部材５０がシート受け入れ位置からスモールサイズシート整合位置に移動されるので、シート積載トレイ３８ａ上に積載されたスモールサイズシートは、搬送方向の位置と幅方向の位置を整合されて部揃えされる。
【００７３】
後続のスモールサイズシートがなくなると、続いて、シート搬入の妨げにならないように、サイド整合部材５０がシート受け入れ位置に移動され、図１１（ｆ）に示されているように、第２のスイッチバック搬送路ＳＰ２を経てラージサイズシートが排出口４２から集積ガイド３８のシート積載トレイ３８ａへ排出ローラ４１によって排出される（ステップＳｔ１２）。このとき、第１の上端押え部材４８は押え位置に配置され、シート積載トレイ３８ａ上に積載されたスモールサイズシートの上端に当接面４８ａを当接させ、シート積載トレイ３８ａ上に載置されたスモールサイズシートの上端をカバー部４８ｂで覆った状態を維持されている。また、本体制御部６１から後処理制御部６２に伝達されたシートサイズ情報に基づいて、第２の上端押え部材４９は退避位置に移動され、サイド整合部材５０は、シート受け入れ位置に移動される。
【００７４】
排出されたラージサイズシートがスモールサイズ受け入れ位置の下端規制部材４７に到達する見込み時間だけ搬送されると（ステップＳｔ１３）、後処理制御部６２は、図１１（ｇ）に示されているように、排出ローラ４１による排出口４２からのラージサイズシートの排出を継続しながら、下端規制部材４７がラージサイズシート受け入れ位置に到達するまで、下端規制部材４７及び第１の上端押え部材４８をシート積載トレイ３８ａの載置面３８ｄに沿って下降させ（ステップＳ１４）、ラージサイズシートが排出口４２を完全に通過できるようにする（ステップＳｔ１５）。下端規制部材４７がラージサイズシート受け入れ位置に到達すると、後処理制御部６２は、図１１（ｈ）に示されているように、第２の上端押え部材４９を載置面４８ｄに沿って退避位置から押え位置へ移動させ、第２の上端押え部材４９の当接面４９ａをラージサイズシートの上端に当接させる（ステップＳｔ１６）。これにより、ラージサイズシートは、下端規制部材４７に押し付けられ、載置面３８ｄ上における搬送方向（すなわち上下方向）の位置が整合される。同時に、サイド整合部材５０は、その規制面の離隔距離がラージサイズシートの幅寸法と一致するラージサイズシート整合位置に移動され、サイド整合部材５０の規制面をラージサイズシートの幅方向の側辺に当接させる。これにより、ラージサイズシートは、そ幅方向の中心がシート積載トレイ３８ａのセンター基準に一致するように整合される。
【００７５】
排出口４２から排出されるラージサイズシートの下端がスモールサイズシート受け入れ位置の下端規制部材４７に到達するまで第１の上端押え部材４８は、シート積載トレイ３８ａ上に積載されたスモールサイズシートの上端に当接面４８ａを当接させ、シート積載トレイ３８ａ上に載置されたスモールサイズシートの上端をカバー部４８ｂで覆った状態を維持しているので、排出口４２から排出されるラージサイズシートの下端がシート積載トレイ３８ａ上に積載されたスモールサイズシートの上端の位置に到達すると、第１の上端押え４８の傾斜面４８ｃに沿って移動して、シート積載トレイ３８ａに積載されたスモールサイズシートの上端を乗り越えて通過することができる。したがって、ラージサイズシートの下端がシート積載トレイ３８ａ上に積載されたスモールサイズシートの上端に干渉することを回避でき、シート積載トレイ３８ａ上に載置されたスモールサイズシートの上端とラージサイズシートの下端との干渉による紙詰まりやシートの順番の入れ替わりを防ぐことができる。
【００７６】
ステップＳｔ１７において、後続のラージサイズシートがあるときには、シート搬入の妨げにならないように、サイド整合部材５０がシート受け入れ位置に移動され、第２のスイッチバック経路ＳＰ２を経て排出口４２からシート積載トレイ３８ａへ排出ローラ４１によって後続のラージサイズシートが排出される（ステップＳｔ１８）。このとき、第２の上端押え部材４９は押え位置に配置されており、シート積載トレイ３８ａ上に載置されたラージサイズシートの上端に当接面４９ａを当接させ、シート積載トレイ３８ａ上に積載されたラージサイズシートの上端をカバー部４９ｂで覆った状態を維持されている。
【００７７】
ステップＳｔ１９において後続のラージサイズシートの下端（搬送方向の先端）が下端規制部材４７に到達する見込み時間だけシートが搬送されると、後処理制御装置６２は、第２の上端押え部材４９を押え位置から退避位置へ移動させ（ステップＳｔ２０）、その後、第２の上端押え部材４９を退避位置から押え位置へ再び移動させる（ステップＳｔ２１）。同時に、サイド整合部材５０は、その規制面の離隔距離がラージサイズシートの幅寸法と一致するラージサイズシート整合位置に移動され、サイド整合部材５０の規制面をラージサイズシートの幅方向の側辺に当接させる。このようなステップＳｔ１８からステップＳｔ２１のような動作が後続のラージサイズシートがなくなるまで繰り返される。
【００７８】
後続のラージサイズシートの下端がシート積載トレイ３８ａ上に積載されたラージサイズシートの上端の位置に到達する際には、第２の上端押え部材４９の当接面４９ａが積載されたラージサイズシートの上端に当接して、カバー部４９ｂがラージサイズシートの上端を覆っているので、後続のラージサイズシートの下端が傾斜面４９ｃに沿って移動し、シート積載トレイ３８ａ上に積載されたラージサイズシートの上端を乗り越えて通過することができる。したがって、後続のラージサイズシートの下端がシート積載トレイ３８ａ上に積載されたラージサイズシートの上端に干渉することを回避させることができ、シート積載トレイ３８ａ上に載置されたラージサイズシートの上端と後続のラージサイズシートの下端との干渉による紙詰まりやシートの順番の入れ替わりを防ぐことができる。また、後続のラージサイズシートの下端が下端規制部材４７に到達した後に、第２の上端押え部材４９が退避位置に移動することで、後続のラージサイズシートの上端がシート積載トレイ３８ａ上に積載されたラージサイズシートの上端に重ねられ、その後に第２の上端押え部材４９が押え位置に移動されると共に、サイド整合部材５０がラージサイズシート整合位置に移動されるので、シート積載トレイ３８ａ上に積載されたラージサイズシートは、搬送方向の位置と幅方向の位置を整合されて部揃えされる。
【００７９】
後続のラージサイズシートがなくなると、後処理制御部６２は、図１１（ｉ）に示されているように、第１の上端押え部材４８及び第２の上端押え部材４９を押え位置から退避位置へ移動させる（ステップＳｔ２２）。中綴じ処理を行う場合には、下端規制部材４７の移動によりシート積載トレイ３８ａ上に積載されたラージサイズシートの搬送方向の中心を綴じ位置Ｘまで移動させ、中綴じユニット３９によってシートに中綴じを施す。このとき、スイッチバック経路３８ｂが設けられていれば、ラージサイズシートの上端部をスイッチバック経路３８ｂへ逃がすことができる。しかしながら、ラージサイズシートを綴じ位置Ｘまで移動させたときにラージサイズシートの上端が排出口４２よりも下方に位置するようになっているのであれば、スイッチバック経路３８ｂを設けなくてもよい。中綴じ処理の後に又は中綴じ処理を行わずに中折り処理を行う場合には、下端規制部材４７の移動によりシート積載トレイ３８ａ上に積載されたラージサイズシートの搬送方向の中心を折り位置Ｙまで移動させ、中折りユニット４０によってラージサイズシートに中折り処理を施す。
【００８０】
詳細には、中折り処理の際、まず、後処理制御部６２は、図１２（ｊ）に示されているように、突板４４を待機位置から作動位置へ向かって移動させ、シート積載トレイ３８ａ上に積載されたラージサイズシートを突板４４の先端で一対の折りローラ４３の間に押し込む（ステップＳｔ２３）。このとき、第１の上端押え部材４８は退避位置に移動されているので、突板４４の移動を妨げない。次に、後処理制御部６２は、ラージサイズシートの折り位置が一対の折りローラ４３の間に到達する見込み時間だけ経過したら、突板４４の移動を一旦停止させ（ステップＳｔ２４）、図１２（ｋ）に示されているように、シート積載トレイ３８ａの載置面３８ｄに沿って下端規制部材４７を上昇させる（ステップＳｔ２５）。これにより、スモールサイズシートの上端がラージサイズシートの折り目位置（搬送方向の中心）以下である場合（すなわち、スモールサイズシートの搬送方向の長さがラージサイズシートの搬送方向の長さの半分以下である場合）には、下端規制部材４７の上昇によりシート積載トレイ３８ａ上に積載されたスモールサイズシートの上端が突板４４のガイド面に押し付けられて、ガイド面に沿ってラージサイズシートの折り目位置へ向けて案内される（ステップＳｔ２６）。その後、ステップＳｔ２７で一対の折りローラ４３の間へ向けての突板４４の移動が再開されると共に、ステップＳｔ２８で、上側の折りローラ４３ａを図６中の時計回り方向に且つ下側の折りローラ４３ｂを図６中の反時計回り方向に回転されるように一対の折りローラ４３の回転が開始され、一対の折りローラ４３でシートを所定量搬送したら、突板４４の移動を停止させて待機位置へ移動させる（ステップＳｔ２９）。これにより、一対の折りローラ４３の間にラージサイズシートを折り目位置で折り畳んだ状態で挟み込み、折り畳まれたラージサイズシートの間に挿入紙としてスモールサイズシートが挿入された状態で、一対の折りローラ４３のニップ位置でラージサイズシートの中折りが行われる。折られたシートは、一対の折りローラ４３のニップ位置を通過して排紙ローラ対４５に引き渡され、第２の排紙トレイ２２へ排出される（ステップＳｔ３０）。また、下端規制部材４７は、待機位置へ戻される（ステップＳｔ３１）。
【００８１】
このように、本発明によるシート処理装置Ｂでは、シート積載トレイ３８ａ上に異なるサイズのシートを積載し、ラージサイズシートの間にスモールサイズのシートを挿入して中折り処理を行う場合でも、先にシート積載トレイ３８ａ上に積載されたシートの上端を排出口４２よりも上方まで移動させることなく、排出されたシートの下端がシート積載手御礼３８ａ上に積載されたシートの上端と干渉することを防止することができる。また、排出口４２よりも下方に設けられたシート積載トレイ３８へ向けて下方にシートを排出するので、排出口４２から上方にシートを排出する場合のように、排出口４２によりも上方に排出口４２から排出される最大サイズのシートを逃がすためのスペースを確保する必要がなく、装置をコンパクト化することが可能となる。
【００８２】
以上、図示されている実施形態を参照して、本発明によるシート処理装置及びこれを備える画像形成システムを説明したが、本発明は図示されている実施形態に限定されるものではない。図示されている実施形態では、下端規制部材、第１の上端押え部材及び第２の上端押え部材の駆動機構として、ベルト駆動機構を採用しているが、下端規制部材、第１の上端押え部材及び第２の上端押え部材を往復動させることができれば、他の駆動機構を採用することも可能である。
【符号の説明】
【００８３】
Ａ    画像形成装置
Ｂ    シート処理装置
Ｃ    シート折り装置
３８    集積ガイド
３８ａ    シート積載トレイ
３８ｄ    載置面
３９    中綴じユニット
４０    中折りユニット
４２    排出口
４３    一対の折りローラ
４４    突板
４４ａ    ガイド面
４７    下端規制部材
４７ａ    規制面
４８    第１の上端押え部材
４８ａ    当接面
４８ｂ    カバー部
４８ｃ    傾斜面
４９    第２の上端押え部材
４９ａ    当接面
４９ｂ    カバー部
４９ｃ    傾斜面
６０    制御装置
６１    本体制御部
６２    後処理制御部
【図１】
2018111591.tif 000003
【図２】
2018111591.tif 000004
【図３】
2018111591.tif 000005
【図４】
2018111591.tif 000006
【図５】
2018111591.tif 000007
【図６】
2018111591.tif 000008
【図７】
2018111591.tif 000009
【図８】
2018111591.tif 000010
【図９】
2018111591.tif 000011
【図１０】
2018111591.tif 000012
【図１１】
2018111591.tif 000013
【図１２】
2018111591.tif 000014
【図１３】
2018111591.tif 000015
【図１４】
2018111591.tif 000016
【図１５】
2018111591.tif 000017